(57)【要約】    【課題】      最適なＭＣＳレベルを選択し、変調方式及び符号化率を決定すること。    【解決手段】  ＡＣＫ／ＮＡＣＫ情報検出部１０６は、通信端末装置における誤り検出処理結果を示すＡＣＫ情報あるいはＮＡＣＫ情報を検出する。回線品質情報検出部１０７は、通信端末装置から要求されたＭＣＳレベルを示す回線品質情報を検出する。復号繰り返し数検出部１０８は、通信端末装置にて行われた誤り訂正復号処理の繰り返し回数を示す繰り返し数情報を検出する。スケジューリング部１５１は、回線品質情報に基づいてデータ送信先となる通信端末装置を割り当て、ＡＣＫ／ＮＡＣＫ情報、回線品質情報及び繰り返し数情報に基づいて、割り当てた通信端末装置に送信する送信データの変調方式及び符号化率を決定する。  【選択図】      図１
2006211017.tif 000002
【特許請求の範囲】
【請求項１】
通信中の各通信端末装置から要求されたＭＣＳレベルを比較してデータ送信先の通信端末装置を割り当て、前記割り当てた通信端末装置から要求されたＭＣＳレベル、前記割り当てた通信端末装置における誤り検出処理結果及び前記割り当てた通信端末装置にて行われた誤り訂正復号処理の繰り返し回数に基づいて変調方式及び符号化率を決定するスケジューリング手段と、
前記スケジューリング手段にて決定された変調方式及び符号化率で前記割り当てた通信端末装置宛の送信データを送信する送信手段と、を具備する基地局装置。
【請求項２】
前記スケジューリング手段は、データ送信先として割り当てた通信端末装置において受信信号に誤りが検出されず、かつ、誤り訂正復号処理の繰り返し回数が所定の閾値より少ない場合、前記通信端末装置から要求されたＭＣＳレベルを上方修正し、修正後のＭＣＳレベルに対応する変調方式及び符号化率を設定する請求項１に記載の基地局装置。
【請求項３】
前記スケジューリング手段は、通信中の各通信端末装置について、受信信号に誤りが検出されず、かつ、誤り訂正復号処理の繰り返し回数が所定の閾値より少ない場合、当該通信端末装置から要求されたＭＣＳレベルを上方修正し、修正後のＭＣＳレベルを比較してデータ送信先の通信端末装置を割り当てる請求項１又は請求項２に記載の基地局装置。
【請求項４】
前記スケジューリング手段は、データ送信先として割り当てた通信端末装置の許容遅延量が所定の閾値以上であって、前記通信端末装置において受信信号に誤りが検出されず、かつ、誤り訂正復号処理の繰り返し回数が所定の閾値より少ない場合、前記通信端末装置から要求されたＭＣＳレベルを上方修正し、修正後のＭＣＳレベルに対応する変調方式及び符号化率を設定する請求項１に記載の基地局装置。
【請求項５】
前記スケジューリング手段は、データ送信先として割り当てた通信端末装置の許容遅延量が所定の閾値より少ない場合であって、前記通信端末装置において受信信号に誤りが検出され、かつ、誤り訂正復号処理の繰り返し回数が所定の閾値以上である場合、前記通信端末装置から要求されたＭＣＳレベルを下方修正し、修正後のＭＣＳレベルに対応する変調方式及び符号化率を設定する請求項１に記載の基地局装置。
【請求項６】
通信中の各通信端末装置から要求されたＭＣＳレベルを比較してデータ送信先の通信端末装置を割り当てる基地局装置と通信を行う通信端末装置であって、
受信信号に対する誤り訂正復号処理の繰り返し回数を計数する復号繰り返し数計数手段と、
前記受信信号の回線品質を測定する回線品質測定手段と、
測定された回線品質に基づいて、前記基地局装置に要求するＭＣＳレベルを決定し、前記誤り訂正復号処理の繰り返し回数に基づいて前記ＭＣＳレベルを修正し、修正後のＭＣＳレベルを示す回線品質情報を生成する回線品質情報生成手段と、
前記回線品質情報を含む信号を前記基地局装置に送信する送信手段と、を具備する通信端末装置。
【請求項７】
前記回線品質情報生成手段は、受信信号に誤りが検出されず、かつ、誤り訂正復号処理の繰り返し回数が所定の閾値より少ない場合、前記ＭＣＳレベルを上方修正する請求項６に記載の通信端末装置。
【請求項８】
前記回線品質情報生成手段は、各ＭＣＳレベルが割り当てられる回線品質の範囲を示すＭＣＳテーブルを複数記憶し、前記誤り訂正復号処理の繰り返し回数に基づいて前記ＭＣＳレベルを決定する際に用いるＭＣＳテーブルを選択する請求項６に記載の通信端末装置。
【請求項９】
通信中の各通信端末装置から要求されたＭＣＳレベルを比較してデータ送信先の通信端末装置を割り当てる工程と、
前記割り当てた通信端末装置から要求されたＭＣＳレベル、前記割り当てた通信端末装置における誤り検出処理結果及び前記割り当てた通信端末装置にて行われた誤り訂正復号処理の繰り返し回数に基づいて前記割り当てた通信端末装置に送信するデータの変調方式及び符号化率を決定する工程と、を具備するリソース割り当て方法。
【請求項１０】
１の基地局装置と複数の通信端末装置とが無線通信を行うシステムにおけるリソース割り当て方法であって、
前記通信端末装置が、受信信号の回線品質に基づいて、前記基地局装置に要求するＭＣＳレベルを決定し、前記受信信号に対する誤り訂正復号処理の繰り返し回数に基づいて前記ＭＣＳレベルを修正し、修正後のＭＣＳレベルを示す回線品質情報を前記基地局装置に送信し、
前記基地局装置が、通信中の各通信端末装置から送信された前記回線品質情報に示されるＭＣＳレベルを比較してデータ送信先の通信端末装置を割り当て、前記割り当てた通信端末装置のＭＣＳレベルに基づいて変調方式及び符号化率を決定するリソース割り当て方法。
【発明の詳細な説明】
【技術分野】
【０００１】
本発明は、無線通信システムに使用される基地局装置、通信端末装置及びリソース割り当て方法に関する。
【背景技術】
【０００２】
３ＧＰＰにて標準化されたＨＳＤＰＡ（High Speed Downlink Packet Access）では、スケジューリング技術、適応変調技術を適用することにより高スループットを実現している。スケジューリング技術とは、基地局装置が、各通信端末装置にて測定された回線品質（例えばＳＩＮＲ（希望波対干渉波比））等に基づいてユーザ回線を割り当てる技術であり、適応変調技術とは、基地局装置が、各通信端末装置にて測定された受信品質等に基づいて通信端末装置毎に送信データの変調方式及び誤り訂正符号化率の組み合わせ（以下、「ＭＣＳレベル」という）を決定する技術である。
【０００３】
以下、従来の適応変調における一般的なＭＣＳレベルの選択方法の一例について図１０用いて説明する。図１０において、横軸はＳＩＮＲ、縦軸はスループットを示す。図１０では、複数のＭＣＳレベル（ＭＣＳ１、ＭＣＳ２、ＭＣＳ３、ＭＣＳ４）について、ＳＩＮＲに対するスループットが示されている。また、図１０において、ＭＣＳレベル（ｎ＋１）のスループットがＭＣＳレベルｎのスループットと等しくなるＳＩＮＲが、ＭＣＳレベル（ｎ＋１）が割り当てられるエリアとＭＣＳレベルｎが割り当てられるエリアとの境となる閾値ＴＨｎとして設定される。
【０００４】
各通信端末装置は、各ＭＣＳレベルが割り当てられるＳＩＮＲの範囲をテーブルとして記憶し、測定したＳＩＮＲの値により、基地局装置に要求するＭＣＳレベルを決定し、これを示す回線品質情報を基地局装置に送信する。基地局装置は、各通信端末装置から送信されたＭＣＳレベルを比較し、例えばＭＣＳレベルが最も高い通信端末装置にユーザ回線を割り当て、当該ＭＣＳレベルにて送信データを変調して送信する。
【非特許文献１】3GPP TR25.848 V4.0.0(2001-03)
【非特許文献２】3GPP TS25.214 V6.1.0(2004-03)
【発明の開示】
【発明が解決しようとする課題】
【０００５】
しかしながら、上記従来の方法では、ＳＩＮＲが伝搬路状況により変化すること、あるいは、通信端末装置におけるＳＩＮＲ推定誤差も存在すること等の理由により、通信端末装置において最適なＭＣＳレベルを選択することができず、過剰品質の中で通信を継続するユーザの存在により、システムスループットの無駄が生じてしまう恐れがある。
【０００６】
例えば、図１０において、本来のＳＩＮＲがポイント１１であるにもかかわらず、ＳＩＮＲ推定誤差のためにＳＩＮＲ測定結果がポイント１２となってしまった場合、通信端末装置は、従来の方法によると、ＭＣＳレベル３で受信可能であるにもかかわらず、受信機の受信性能限界に対して過剰な余裕を持ちつつＭＣＳレベル２を基地局装置に要求することになる。
【０００７】
本発明はかかる点に鑑みてなされたものであり、最適なＭＣＳレベルを選択し、変調方式及び符号化率を決定することができる基地局装置、通信端末装置及びリソース割り当て方法を提供することを目的とする。
【課題を解決するための手段】
【０００８】
かかる課題を解決するため、本発明の基地局装置は、通信中の各通信端末装置から要求されたＭＣＳレベルを比較してデータ送信先の通信端末装置を割り当て、前記割り当てた通信端末装置から要求されたＭＣＳレベル、前記割り当てた通信端末装置における誤り検出処理結果及び前記割り当てた通信端末装置にて行われた誤り訂正復号処理の繰り返し回数に基づいて変調方式及び符号化率を決定するスケジューリング手段と、前記スケジューリング手段にて決定された変調方式及び符号化率で前記割り当てた通信端末装置宛の送信データを送信する送信手段と、を具備する構成を採る。
【０００９】
本発明の通信端末装置は、通信中の各通信端末装置から要求されたＭＣＳレベルを比較してデータ送信先の通信端末装置を割り当てる基地局装置と通信を行う通信端末装置であって、受信信号に対する誤り訂正復号処理の繰り返し回数を計数する復号繰り返し数計数手段と、前記受信信号の回線品質を測定する回線品質測定手段と、測定された回線品質に基づいて、前記基地局装置に要求するＭＣＳレベルを決定し、前記誤り訂正復号処理の繰り返し回数に基づいて前記ＭＣＳレベルを修正し、修正後のＭＣＳレベルを示す回線品質情報を生成する回線品質情報生成手段と、前記回線品質情報を含む信号を前記基地局装置に送信する送信手段と、を具備する構成を採る。
【００１０】
本発明のリソース割り当て方法は、通信中の各通信端末装置から要求されたＭＣＳレベルを比較してデータ送信先の通信端末装置を割り当てる工程と、前記割り当てた通信端末装置から要求されたＭＣＳレベル、前記割り当てた通信端末装置における誤り検出処理結果及び前記割り当てた通信端末装置にて行われた誤り訂正復号処理の繰り返し回数に基づいて前記割り当てた通信端末装置に送信するデータの変調方式及び符号化率を決定する工程と、を具備する方法を採る。
【発明の効果】
【００１１】
本発明によれば、データ送信先として割り当てた通信端末装置から要求されたＭＣＳレベルを、当該通信端末装置にて行われた誤り訂正復号処理の繰り返し回数等を考慮して修正することにより、最適なＭＣＳレベルを選択し、変調方式及び符号化率を決定することができる。
【発明を実施するための最良の形態】
【００１２】
以下、本発明の実施の形態について図面を参照して詳細に説明する。
【００１３】
（実施の形態１）
まず、本発明の実施の形態１に係る基地局装置の構成について図１のブロック図を用いて説明する。図１の基地局装置１００は、複数の通信端末装置と同時に無線通信を行う。各通信端末装置から基地局装置１００に送信される信号には、要求するＭＣＳレベルを示す回線品質情報、誤り検出処理結果を示すＡＣＫ／ＮＡＣＫ情報、及び、誤り訂正復号処理の繰り返し回数を示す繰り返し数情報が含まれる。なお、ＡＣＫ情報は誤りが検出されなかったことを示す情報であり、ＮＡＣＫ情報は誤りが検出されたことを示す情報である。
【００１４】
共用器１０２は、アンテナ１０１に受信された信号を受信無線部１０３に出力する。また、共用器１０２は、送信無線部１５８から出力された信号をアンテナ１０１から無線送信する。
【００１５】
受信無線部１０３は、共用器１０２から出力された無線周波数の受信信号をベースバンド信号に変換して復調部１０４に出力する。復調部１０４は、無線通信を行う通信端末装置の数だけ用意され、受信ベースバンド信号に対して逆拡散、ＲＡＫＥ合成等の復調処理を行い、復調後の信号を誤り訂正復号部１０５に出力する。
【００１６】
誤り訂正復号部１０５は、無線通信を行う通信端末装置の数だけ用意され、復調後の信号に対して誤り訂正復号処理を行い、復号結果である受信データを得る。そして、誤り訂正復号部１０５は、ＡＣＫ／ＮＡＣＫ情報検出部１０６、回線品質情報検出部１０７、復号繰り返し数検出部１０８及び図示しない後工程に受信データを出力する。
【００１７】
ＡＣＫ／ＮＡＣＫ情報検出部１０６は、受信データに含まれるＡＣＫ情報あるいはＮＡＣＫ情報を検出し、検出結果をスケジューリング部１５１及びデータ再送制御部１５２に出力する。回線品質情報検出部１０７は、受信データに含まれる回線品質情報を検出し、検出結果をスケジューリング部１５１に出力する。復号繰り返し数検出部１０８は、受信データに含まれる繰り返し数情報を検出し、検出結果をスケジューリング部１５１に出力する。
【００１８】
スケジューリング部１５１は、回線品質情報に基づいてデータ送信先となる通信端末装置を割り当て、ＡＣＫ／ＮＡＣＫ情報、回線品質情報及び繰り返し数情報に基づいて、データ送信先として割り当てた通信端末装置に送信する送信データの変調方式、符号化率及び使用する物理リソースを決定する（リソース割り当て）。なお、スケジューリング部１５１における変調方式及び符号化率の決定方法の詳細については後述する。
【００１９】
スケジューリング部１５１は、リソース割り当てを行った後、データ送信先として割り当てた通信端末装置を示す情報をデータ再送制御部１５２に出力し、リソース割り当て結果を示すリソース割り当て情報を誤り訂正符号化部１５６に出力する。また、スケジューリング部１５１は、誤り訂正符号化部１５４に対して符号化率を指示し、変調部１５５に対して変調方式を指示する。
【００２０】
データ再送制御部１５２は、ＡＣＫ／ＮＡＣＫ情報検出部１０６から出力されたＡＣＫ／ＮＡＣＫ情報の中から、データ送信先として割り当てられた通信端末装置から送信されたものを選択する。そして、データ再送制御部１５２は、選択した情報がＡＣＫ情報であれば送信データバッファ部１５３に対してデータ送信先として割り当てられた通信端末装置に新規データを送信することを指示する。一方、データ再送制御部１５２は、選択した情報がＮＡＣＫ情報であれば送信データバッファ部１５３に対してデータ送信先して割り当てられた通信端末装置に再送用データを送信することを指示する。
【００２１】
送信データバッファ部１５３は、各通信端末装置に送信する送信データを一時的に記憶し、データ再送制御部１５２から指示された送信データを誤り訂正符号化部１５４に出力する。
【００２２】
誤り訂正符号化部１５４は、送信データバッファ部１５３の出力データに対してスケジューリング部１５１から指示された符号化率の誤り訂正符号化を行い、誤り訂正符号化後のデータを変調部１５５に出力する。なお、誤り訂正符号化部１５４にて行われる誤り訂正符号化処理は、ターボ符号化等、復号側にて繰り返し復号を行い、その都度復号の信頼度を増していくタイプの誤り訂正処理である。
【００２３】
変調部１５５は、誤り訂正符号化部１５４の出力データに対してスケジューリング部１５１から指示された変調方式により変調及び拡散を行い、変調後の信号を送信無線部１５８に出力する。
【００２４】
誤り訂正符号化部１５６は、リソース割り当て情報に対して誤り訂正符号化を行い、誤り訂正符号化後のデータを変調部１５７に出力する。変調部１５７は、誤り訂正符号化部１５６の出力データに対して変調及び拡散を行い、変調後の信号を送信無線部１５８に出力する。
【００２５】
送信無線部１５８は、変調部１５５の出力信号及び変調部１５７の出力信号を無線周波数の信号に変換して共用器１０２に出力する。
【００２６】
次に、本実施の形態に係る通信端末装置の構成について図２のブロック図を用いて説明する。図２の通信端末装置２００は、図１に示した基地局装置１００と無線通信を行う。
【００２７】
共用器２０２は、アンテナ２０１に受信された信号を受信無線部２０３に出力する。また、共用器２０２は、送信無線部２５３から出力された信号をアンテナ２０１から無線送信する。
【００２８】
受信無線部２０３は、共用器２０２から出力された無線周波数の受信信号をベースバンド信号に変換して復調部２０４に出力する。復調部２０４は、受信ベースバンド信号に対して逆拡散、ＲＡＫＥ合成等の復調処理を行い、復調後の信号を誤り訂正復号部２０５に出力する。また、復調部２０４は、復調処理の過程で得られる希望波電力、干渉波電力等の回線品質測定に必要な情報を回線品質測定部２０８に出力する。
【００２９】
誤り訂正復号部２０５は、復調後の信号に対して誤り訂正復号処理及び誤り検出処理を、誤りが検出されなくなるまで繰り返して行い、復号後の信号に誤りが検出されなくなった場合には復号結果である受信データを図示しない後工程に出力する。また、誤り訂正復号部２０５は、誤り検出処理を行う毎に検出結果を示す情報をＡＣＫ／ＮＡＣＫ情報生成部２０６及び復号繰り返し数計数部２０７に出力する。なお、誤り訂正復号部２０５は、所定回数に渡って誤り訂正復号処理を繰り返しても復号後の信号に誤りが残存する場合には、それ以上の誤り訂正復号処理を停止し、受信データを出力しない。
【００３０】
復号繰り返し数計数部２０７は、誤り訂正復号部２０５における誤り訂正復号処理の繰り返し回数を計数し、計数値を繰り返し数情報として誤り訂正符号化部２５１に出力する。ＡＣＫ／ＮＡＣＫ情報生成部２０６は、誤り訂正復号処理を行う間に復号後の信号に誤りが検出されなくなった場合にはＡＣＫ情報を生成し、所定回数に渡って誤り訂正復号処理を繰り返しても復号後の信号に誤りが残存する場合にはＮＡＣＫ情報を生成し、ＡＣＫ情報あるいはＮＡＣＫ情報を誤り訂正符号化部２５１に出力する。
【００３１】
回線品質測定部２０８は、復調部２０４から出力された情報に基づいてＳＩＮＲ（回線品質）を測定し、測定したＳＩＮＲを示す情報を回線品質情報生成部２０９に出力する。回線品質情報生成部２０９は、各ＭＣＳレベルが割り当てられるＳＩＮＲの範囲をテーブルとして記憶し、測定されたＳＩＮＲの値により、基地局装置１００に要求するＭＣＳレベルを決定し、これを示す回線品質情報を誤り訂正符号化部２５１に出力する。
【００３２】
誤り訂正符号化部２５１は、送信データに、回線品質情報、ＡＣＫ／ＮＡＣＫ情報及び繰り返し数情報を多重し、多重後の信号に対して誤り訂正符号化を行い、変調部２５２に出力する。なお、これらの情報には各々個別の誤り訂正符号化を行ってもよい。
【００３３】
変調部２５２は、誤り訂正符号化部２５１の出力信号に対して変調及び拡散を行い、送信無線部２５３に出力する。送信無線部２５３は、変調部２５２の出力信号を無線周波数の信号に変換して共用器２０２に出力する。
【００３４】
次に、本実施の形態に係る基地局装置と通信端末装置との間の通信順序について図３のシーケンス図を用いて説明する。
【００３５】
まず、基地局装置は、通信端末装置に対してデータを送信する（Ｓ３０１、Ｓ３０２）。
【００３６】
通信端末装置は、誤り検出処理を行い（Ｓ３０３）、回線品質を測定し（Ｓ３０４）、誤り訂正復号処理の繰り返し回数を計数し（Ｓ３０５）、ＡＣＫ／ＮＡＣＫ情報、回線品質情報及び繰り返し数情報を含む制御情報を基地局装置に送信する（Ｓ３０６、Ｓ３０７）。
【００３７】
基地局装置は、回線品質情報に基づいてデータ送信先となる通信端末装置を割り当て、ＡＣＫ／ＮＡＣＫ情報、回線品質情報及び繰り返し数情報に基づいて通信端末装置に送信する送信データの変調方式及び符号化率を決定するリソース割り当てを行う（Ｓ３０８）。そして、基地局装置は、リソース割り当て結果を示すリソース割り当て情報を含む制御情報を通信端末装置に送信し（Ｓ３０９、Ｓ３１０）、続いてデータを通信端末装置に送信する（Ｓ３１１、Ｓ３１２）。
【００３８】
次に、本実施の形態に係る基地局装置１００のスケジューリング部１５１における変調方式及び符号化率の決定方法を図４のフロー図を用いて詳細に説明する。
【００３９】
まず、スケジューリング部１５１は、データ送信先として割り当てた通信端末装置からＡＣＫ情報を受信していた場合であって（Ｓ４０１：ＹＥＳ）、かつ、繰り返し数情報に示される誤り訂正復号処理の繰り返し回数が所定の閾値より少ない場合には（Ｓ４０２：ＹＥＳ）、回線品質情報に示されるＭＣＳレベルを上方修正する（Ｓ４０３）。一方、スケジューリング部１５１は、Ｓ４０２において繰り返し数情報に示される誤り訂正復号処理の繰り返し回数が所定の閾値以上である場合には（Ｓ４０２：ＮＯ）、回線品質情報に示されるＭＣＳレベルのままとする（Ｓ４０４）。そして、スケジューリング部１５１は、Ｓ４０３あるいはＳ４０４で設定したＭＣＳレベルに従って変調方式及び符号化率を決定する（Ｓ４０５）。なお、上方修正とは、伝送レートを上げるようにＭＣＳレベルを修正することである。また、スケジューリング部１５１は、Ｓ４０１においてデータ送信先として割り当てた通信端末装置からＮＡＣＫ情報を受信していた場合には（Ｓ４０１：ＮＯ）、従来のＮＡＣＫ情報受信後の処理を行う（Ｓ４０６）。従来のＮＡＣＫ情報受信後の処理として、Ｈ-ＡＲＱ（Hybrid - Automatic Repeat Request）方式の場合において前回送信時と同一のＭＣＳレベルで同じビットを送信する、あるいは、付加冗長ビットを送信する等が挙げられる。
【００４０】
このように、本実施の形態によれば、基地局装置が通信端末装置から要求されたＭＣＳレベルを、誤り訂正復号処理の繰り返し回数に基づいて修正することにより、最適なＭＣＳレベルを選択し、変調方式及び符号化率を決定することができる。
【００４１】
なお、上記の説明では、スケジューリング部１５１が、まずデータ送信先の通信端末装置を選択し、その通信端末装置についてＭＣＳレベルを修正する場合について説明したが、本実施の形態では、スケジューリング部１５１が、まず全ての通信端末装置についてＭＣＳレベルを修正し、その後にデータ送信先の通信端末装置を選択することもできる。
【００４２】
以下、この場合の基地局装置１００のスケジューリング部１５１における変調方式及び符号化率の決定方法を図５のフロー図を用いて詳細に説明する。
【００４３】
この場合、スケジューリング部１５１は、全ての通信端末装置に対してＳ４０１〜Ｓ４０４の処理を行う（Ｓ５０１〜Ｓ５０４）。
【００４４】
そして、スケジューリング部１５１は、修正されたＭＣＳレベルを比較して、例えば最もＭＣＳレベルが高い通信端末装置をデータ送信先として割り当て（Ｓ５０５）、当該ＭＣＳレベルに従って変調方式及び符号化率を決定する（Ｓ４０５）。
【００４５】
（実施の形態２）
実施の形態２では、ユーザのサービス種別によって決まる許容遅延も考慮してＭＣＳレベルを選択する場合について説明する。本実施の形態の基地局装置及び通信端末装置の構成は、上記実施の形態１で示した図１の基地局装置１００、図２の通信端末装置２００と同一になる。ただし、基地局装置１００のスケジューリング部１５１には、回線品質情報、ＡＣＫ／ＮＡＣＫ情報、繰り返し数情報に加えて、各通信端末装置において許容される遅延量を示す許容遅延情報が入力される点が実施の形態１と異なる。
【００４６】
次に、本実施の形態に係る基地局装置１００のスケジューリング部１５１における変調方式及び符号化率の決定方法を図６のフロー図を用いて詳細に説明する。
【００４７】
まず、スケジューリング部１５１は、データ送信先として割り当てた通信端末装置の許容遅延量が所定の閾値以上の場合に（Ｓ６０１：ＮＯ）、当該通信端末装置からＡＣＫ情報を受信していた場合であって（Ｓ６０２：ＹＥＳ）、かつ、繰り返し数情報に示される誤り訂正復号処理の繰り返し回数が所定の閾値Ａより少ない場合には（Ｓ６０３：ＹＥＳ）、回線品質情報に示されるＭＣＳレベルを上方修正する（Ｓ６０４）。また、スケジューリング部１５１は、データ送信先として割り当てた通信端末装置の許容遅延量が所定の閾値より少ない場合に（Ｓ６０１：ＹＥＳ）、当該通信端末装置からＡＣＫ情報を受信していた場合であって（Ｓ６０５：ＹＥＳ）、かつ、繰り返し数情報に示される誤り訂正復号処理の繰り返し回数が所定の閾値Ｂ以上である場合には（Ｓ６０６：ＮＯ）、回線品質情報に示されるＭＣＳレベルを下方修正する（Ｓ６０７）。また、スケジューリング部１５１は、Ｓ６０３において繰り返し数情報に示される誤り訂正復号処理の繰り返し回数が所定の閾値Ａ以上である場合（Ｓ６０３：ＮＯ）あるいはＳ６０６において繰り返し数情報に示される誤り訂正復号処理の繰り返し回数が所定の閾値Ｂより少ない場合には（Ｓ６０６：ＹＥＳ）、回線品質情報に示されるＭＣＳレベルのままとする（Ｓ６０８）。そして、スケジューリング部１５１は、Ｓ６０４、Ｓ６０７あるいはＳ６０８で設定したＭＣＳレベルに従って変調方式及び符号化率を決定する（Ｓ６０９）。また、スケジューリング部１５１は、Ｓ６０２あるいはＳ６０５においてデータ送信先として割り当てた通信端末装置からＮＡＣＫ情報を受信していた場合には（Ｓ６０２：ＮＯ、Ｓ６０５：ＮＯ）、従来のＮＡＣＫ情報受信後の処理を行う（Ｓ６１０）。なお、図６において、閾値Ａと閾値Ｂとは互いに異なる値であってもよく、同一であってもよい。
【００４８】
このように、本実施の形態によれば、基地局装置が通信端末装置から要求されたＭＣＳレベルを、誤り訂正復号処理の繰り返し回数及び許容遅延量に基づいて修正することにより、最適なＭＣＳレベルを選択し、変調方式及び符号化率を決定することができる。
【００４９】
（実施の形態３）
実施の形態３では、通信端末装置側が、基地局装置に要求するＭＣＳレベルを、誤り訂正復号処理の繰り返し回数に基づいて修正して送信する場合について説明する。この場合、基地局装置の構成は、上記実施の形態１で示した図１の基地局装置１００から復号繰り返し数検出部１０８を削除した構成となり、スケジューリング部１５１は、従来と同様に、ＡＣＫ／ＮＡＣＫ情報及び回線品質情報に基づいて通信端末装置に送信する送信データの変調方式及び符号化率を決定する。
【００５０】
図７は、本実施の形態に係る通信端末装置の構成を示すブロック図である。なお、図７の通信端末装置７００において、図２に示した通信端末装置２００と共通する構成には、図２と同一の符号を付し、説明を省略する。図７の通信端末装置７００は、図２に示した通信端末装置２００と比較して、回線品質情報生成部７０１の作用が、回線品質情報生成部２０９のものと異なる。
【００５１】
復号繰り返し数計数部２０７は、誤り訂正復号部２０５における誤り訂正復号処理の繰り返し回数を計数し、計数値を繰り返し数情報として回線品質情報生成部７０１に出力する。回線品質測定部２０８は、復調部２０４から出力された情報に基づいてＳＩＮＲ（回線品質）を測定し、測定したＳＩＮＲを示す情報を回線品質情報生成部７０１に出力する。
【００５２】
回線品質情報生成部７０１は、各ＭＣＳレベルが割り当てられるＳＩＮＲの範囲をテーブルとして記憶し、測定されたＳＩＮＲの値に基づいて、基地局装置１００に要求するＭＣＳレベルを決定し、誤り訂正復号処理の繰り返し回数に基づいてＭＣＳレベルを修正する。具体的には、回線品質情報生成部７０１は、誤り訂正復号処理の繰り返し回数が所定の閾値より少ない場合にはＭＣＳレベルを上方修正し、誤り訂正復号処理の繰り返し回数が所定の閾値以上である場合にはＭＣＳレベルのままとする。そして、回線品質情報生成部７０１は、修正後のＭＣＳレベルを示す回線品質情報を誤り訂正符号化部２５１に出力する。
【００５３】
誤り訂正符号化部２５１は、送信データに、回線品質情報及びＡＣＫ／ＮＡＣＫ情報を多重し、多重後の信号に対して誤り訂正符号化を行い、変調部２５２に出力する。
【００５４】
このように、本実施の形態によれば、通信端末装置が基地局装置に要求するＭＣＳレベルを、誤り訂正復号処理の繰り返し回数に基づいて修正することにより、基地局装置が最適なＭＣＳレベルを選択し、変調方式及び符号化率を決定することができる。
【００５５】
なお、実施の形態３では、実施の形態２に対応するように、基地局装置に要求するＭＣＳレベルを、誤り訂正復号処理の繰り返し回数及び許容遅延量に基づいて修正することもできる。
【００５６】
（実施の形態４）
実施の形態４では、通信端末装置側が、基地局装置に要求するＭＣＳレベルを決定する際に使用するテーブルを複数備え、誤り訂正復号処理の繰り返し回数に基づいてテーブルを適宜選択する場合について説明する。
【００５７】
本実施の形態に係る通信端末装置の構成は、上記実施の形態３の図７に示した通信端末装置７００と同一になる。ただし、通信端末装置７００の回線品質情報生成部７０１には、図８に示すような複数のＭＣＳテーブルが記憶される。図８に示す各ＭＣＳテーブルは、各ＭＣＳレベルが割り当てられるＳＩＮＲの範囲を示し、互いにその範囲が異なる。例えば、ＭＣＳテーブル１においてＭＣＳ２が割り当てられるＳＩＮＲの範囲はＴＨ１１以上でＴＨ１２よりも小さい範囲であり、ＭＣＳテーブル２においてＭＣＳ２が割り当てられるＳＩＮＲの範囲はＴＨ２１以上でＴＨ２２よりも小さい範囲であり、ＴＨ２１はＴＨ１１よりもΔ１１ｄＢ小さく、ＴＨ２２はＴＨ１２よりもΔ１２ｄＢ小さい。
【００５８】
回線品質情報生成部７０１は、誤り訂正復号処理の繰り返し回数に基づいてＭＣＳテーブルを選択し、測定されたＳＩＮＲの値により、選択したＭＣＳテーブルに基づいて基地局装置１００に要求するＭＣＳレベルを決定する。例えば、回線品質情報生成部７０１は、繰り返し回数が、１〜３であればＭＣＳテーブル３を選択し、４〜６であればＭＣＳテーブル２を選択し、７以上であればＭＣＳテーブル１を選択する。
【００５９】
このように、本実施の形態によれば、通信端末装置が基地局装置に要求するＭＣＳレベルを決定するためのテーブルを、誤り訂正復号処理の繰り返し回数に基づいて選択することにより、基地局装置が最適なＭＣＳレベルを選択し、変調方式及び符号化率を決定することができる。
【００６０】
なお、実施の形態４では、実施の形態２に対応するように、基地局装置に要求するＭＣＳレベルを、誤り訂正復号処理の繰り返し回数及び許容遅延量に基づいて修正することもできる。
【００６１】
（実施の形態５）
実施の形態５では、回線品質情報に加えて繰り返し数情報も考慮してデータ送信先となる通信端末装置を割り当てる場合について説明する。本実施の形態の基地局装置及び通信端末装置の構成は、上記実施の形態１で示した図１の基地局装置１００、図２の通信端末装置２００と同一になる。
【００６２】
次に、本実施の形態に係る基地局装置１００のスケジューリング部１５１におけるデータ送信先となる通信端末装置の割り当て方法を図９のフロー図を用いて詳細に説明する。
【００６３】
まず、スケジューリング部１５１は、各通信端末装置について、ＡＣＫ情報を受信していた場合であって（Ｓ９０１：ＹＥＳ）、かつ、繰り返し数情報に示される誤り訂正復号処理の繰り返し回数が所定の閾値より少ない場合には（Ｓ９０２：ＹＥＳ）、リソース割り当ての優先度を下げる（Ｓ９０３）。一方、スケジューリング部１５１は、Ｓ９０１においてＮＡＣＫ情報を受信していた場合（Ｓ９０１：ＮＯ）、あるいは、Ｓ９０２において繰り返し数情報に示される誤り訂正復号処理の繰り返し回数が所定の閾値以上である場合には（Ｓ９０２：ＮＯ）、リソース割り当ての優先度を維持する（Ｓ９０４）。
【００６４】
そして、スケジューリング部１５１は、全ての通信端末装置に対してＳ９０１〜Ｓ９０４の処理を行い（Ｓ９０５〜Ｓ９０８）、優先度が維持された通信端末装置の中でＭＣＳレベルを比較して、例えば最もＭＣＳレベルが高い通信端末装置をデータ送信先として割り当てる（Ｓ９０９）。
【００６５】
このように、本実施の形態によれば、誤り訂正復号処理の繰り返し回数が所定の閾値より少ない通信端末装置の優先度を下げることにより、余裕度の高い通信端末装置がデータ送信先として割り当てられることを防ぐことができる。
【００６６】
なお、上記各実施の形態では、通信端末装置が基地局装置に、誤り訂正復号処理の繰り返し回数を示す情報を送信する場合について説明したが、本発明はこれに限られず、誤り訂正復号処理の繰り返し回数を、その通信端末装置の復号器の最大繰り返し数で正規化した値を示す情報、あるいは、誤りが検出されなくなった時点での尤度を示す情報を基地局装置に送信しても良い。
【００６７】
また、上記各実施の形態では、下り回線のリソース割り当てについて説明したが、本発明はこれに限られず、上り回線のリソース割り当てにも適用することができる。
【産業上の利用可能性】
【００６８】
本発明は、無線通信を行う基地局装置、通信端末装置に用いるに好適である。
【図面の簡単な説明】
【００６９】
【図１】本発明の実施の形態１に係る基地局装置の構成を示すブロック図
【図２】上記実施の形態に係る通信端末装置の構成を示すブロック図
【図３】上記実施の形態に係る基地局装置及び通信端末装置との間の通信順序を示すシーケンス図
【図４】上記実施の形態に係る変調方式及び符号化率の決定方法を示すフロー図
【図５】上記実施の形態に係る変調方式及び符号化率の決定方法を示すフロー図
【図６】本発明の実施の形態２に係る変調方式及び符号化率の決定方法を示すフロー図
【図７】本発明の実施の形態３に係る通信端末装置の構成を示すブロック図
【図８】本発明の実施の形態４に係る通信端末装置に記憶されるＭＣＳテーブルを示す図
【図９】本発明の実施の形態５に係るデータ送信先となる通信端末装置の割り当て方法を示すフロー図
【図１０】ＭＣＳレベルの選択方法の一例を説明するための図
【符号の説明】
【００７０】
１００  基地局装置
１０４  復調部
１０５  誤り訂正復号部
１０６  ＡＣＫ／ＮＡＣＫ情報検出部
１０７  回線品質情報検出部
１０８  復号繰り返し数検出部
１５１  スケジューリング部
１５２  データ再送制御部
１５３  送信データバッファ部
１５４、１５６  誤り訂正符号化部
１５５、１５７  変調部
２００、７００  通信端末装置
２０４  復調部
２０５  誤り訂正復号部
２０６  ＡＣＫ／ＮＡＣＫ情報生成部
２０７  復号繰り返し数計数部
２０８  回線品質測定部
２０９、７０１  回線品質情報生成部
２５１  誤り訂正符号化部
２５２  変調部
【図１】
2006211017.tif 000003
【図２】
2006211017.tif 000004
【図３】
2006211017.tif 000005
【図４】
2006211017.tif 000006
【図５】
2006211017.tif 000007
【図６】
2006211017.tif 000008
【図７】
2006211017.tif 000009
【図８】
2006211017.tif 000010
【図９】
2006211017.tif 000011
【図１０】
2006211017.tif 000012